(57)【特許請求の範囲】
【請求項１】
電動送風機及び集塵室を備えた掃除機本体と、該掃除機本体に設けられ、前記集塵室を開閉自在に覆うように設けられた蓋体と、前記集塵室と前記蓋体とを気密に保持する気密部材を備えた電気掃除機において、
前記気密部材は複数の突起部と、該突起部と一体に形成された緩衝部とを備え、
前記集塵室は少なくともその外周部に垂直方向に立ち上がった少なくとも３つの隔壁を有し、
前記気密部材のうち集塵室側に位置する部分は、前記少なくとも３つの隔壁のうち最も内側に位置する隔壁と略面一か、もしくは前記少なくとも３つの隔壁のうち最も内側に位置する隔壁よりも外側になるように位置させ、
前記少なくとも３つの隔壁間には、少なくとも２つの溝部が形成され、該溝部には前記複数の突起部が挿入され、前記少なくとも３つの隔壁のうち最も外側に位置した隔壁は、前記複数の突起部と一体に形成された緩衝部で覆われたことを特徴とする電気掃除機。
【請求項２】
請求項１において、
前記気密部材のうち集塵室側に位置する部分と、前記複数の突起のうち内側の溝に挿入される突起とには段差部が形成され、該段差部に前記少なくとも３つの隔壁のうち最も内側に位置する隔壁を位置させたことを特徴とする電気掃除機。
【請求項３】
請求項１又は請求項２において、
前記隔壁により構成される溝部に給電線を配線したことを特徴とする電気掃除機。
【請求項４】
請求項１乃至３の何れかにおいて、
電動送風機側の隔壁及び気密部材の上面形状は、略円弧状としたことを特徴とする電気掃除機。
【発明の詳細な説明】
【技術分野】
【０００１】
本発明は電気掃除機に関するものである。
【背景技術】
【０００２】
本発明は集塵室を覆うように設けられている蓋体との気密を保持するための気密部材の気密性の向上と、紙パックや集塵ケースと取り出す際の着脱性を向上させた電気掃除機に関するものである。
【０００３】
紙パック又は集塵ケースを用いる電気掃除機では、捕獲した塵によって紙パックや集塵ケースが満杯になったとき、それらを取り外して使い捨て（新しい紙パックと交換）又は塵を捨てることができるので、取り扱いが便利である。
【０００４】
しかし、紙パックや集塵ケースを取り外す際に、集塵室を覆うように設けられている蓋体との気密を保持するための気密部材は気密性を向上させるために、その一部が集塵室に張り出した弾性部材であることが多く、そのため紙パックや集塵ケースを取り外す際に、集塵室に張り出した気密部材に引っ掛かり取り出し難いため、取り出し易い気密部材の形状が提案されている。
【０００５】
集塵室にセットされている紙パックや集塵ケースは気密性を向上させるために形成されている気密部材の集塵室に張り出した形状に引っ掛かり、集塵室への着脱性が悪化していた。これらの着脱性を改善するために、例えば特許文献１（特開平１１―７６１１０号公報）のように、二重のリブを設け溝を形成し、その溝に弾性部材等で形成される気密部材を挿入し、気密部材の内側面と集塵室の内面を略面一とすることが提案されている。
【０００６】
【特許文献１】特開平１１−７６１１０号公報
【発明の開示】
【発明が解決しようとする課題】
【０００７】
しかしながら、上記の従来の構成（特許文献１）では、気密漏れが生じ易く電気掃除機の本来の役割であり、また最も重要視される吸込仕事率が低下してしまい、集塵効率が低下してしまう問題があった。
【０００８】
本発明の目的は、集塵室からの気密漏れを発生させない若しくは最小限に抑え、吸込仕事率の低下を抑えるとともに、集塵室からの紙パック又は集塵ケースの着脱性が良い電気掃除機を提供することにある。
【課題を解決するための手段】
【０００９】
本発明は、電動送風機及び集塵室を備えた掃除機本体と、該掃除機本体に設けられ、前記集塵室を開閉自在に覆うように設けられた蓋体と、前記集塵室と前記蓋体とを気密に保持する気密部材を備えた電気掃除機において、前記気密部材は複数の突起部と、該突起部と一体に形成された緩衝部とを備え、前記集塵室は少なくともその外周部に垂直方向に立ち上がった少なくとも３つの隔壁を有し、前記気密部材のうち集塵室側に位置する部分は、前記少なくとも３つの隔壁のうち最も内側に位置する隔壁と略面一、もしくは前記少なくとも３つの隔壁のうち最も内側に位置する隔壁よりも外側になるように位置させ、前記少なくとも３つの隔壁間には、少なくとも２つの溝部が形成され、該溝部には前記複数の突起部が挿入され、前記少なくとも３つの隔壁のうち最も外側に位置した隔壁は、前記複数の突起部と一体に形成された緩衝部で覆われたことを特徴とする。
【発明の効果】
【００１０】
本発明によれば、集塵室からの気密漏れを発生させない若しくは最小限に抑え、吸込仕事率の低下を抑えるとともに、集塵室からの紙パック又は集塵ケースの着脱性に優れた電気掃除機を提供することができる。
【発明を実施するための最良の形態】
【００１１】
本発明の第１の実施例について、図１から図３を引用して説明する。
【００１２】
図１は、本発明の一実施例を示す電気掃除機を示す外観斜視図である。
【００１３】
図２は、本発明の一実施例を示す電気掃除機を示す上蓋を開けた状態の斜視図である。
【００１４】
図３は、本発明の一実施例を示す掃除機本体の中央縦断面図である。
【００１５】
まず、図１及び図２を用いて電気掃除機の概要から順に説明する。
【００１６】
図１及び図２に実施例を示すように電気掃除機の掃除機本体ケース１は、後部側に走行用の車輪２を有する。掃除機本体ケース１の前側下部には、走行用キャスター（図示せず）が備わる。
【００１７】
掃除機本体ケース１の前側内部には、集塵室３が設けられる。この集塵室３には、紙，布，不織布を含む集塵袋（紙パック）７若しくはＡＢＳ材等によるプラスチック製の集塵ケースが取り外し自在に内置される。
【００１８】
集塵室３とホース差込口４は掃除機本体ケース１の前側に設けられ、ホース差込口気密部材１６０を介して、集塵室３に連通する。
【００１９】
集塵室３の上面には、集塵袋（紙パック）若しくは集塵ケースが出し入れされる開口部を上方に有し、この開口部を開閉自在に覆う蓋体５が備わる。蓋体５は掃除機本体ケース１に回動自在に支持され、この開閉自在な前記蓋体５には上部横置除塵体６が保持される。該上部横置除塵体６の支軸８１が蓋体５の８２に回動自在に取り付けられる。同様に前記上部横置除塵体６に連動して作動するように、上部横置除塵体補助部８３の支持軸８９が集塵蓋５の支持受部８５に回動自在に取り付けられる。また、集塵室３と蓋体５の気密を保持するように気密部材１０が取り付けられている。
【００２０】
図３に示すように、掃除機本体ケース１の集塵室３には、集塵袋（紙パック）７若しくは集塵ケース（図示せず）が内置される。この集塵袋（紙パック）７は、使い捨ての紙，不織布ないし再利用可能な布集塵袋を含む。又、集塵ケースはＡＢＳ材やＰＳ材，ＰＥＴ等形状を保持しやすく、ごみを捨てることによって何度も再利用可能なものを含む。
【００２１】
掃除機本体ケース１は、集塵室３の後側に後部室を有する。この後部室は、電動送風機８、コードリール９を内置する。
【００２２】
電動送風機８は、送風部（ファン）と電動機を有する。送風部が前側、電動機が後側になるように置かれる。コードリール９は、電動送風機８の隣に並ぶように置かれる。電動送風機８には、コードリール９を介して電力が供給される。
【００２３】
次に集塵室の気密保持に関して説明する。
【００２４】
図２に示すように集塵室３を覆うように蓋体５が上部ケース１３０の軸受１３１に開閉自在に支持され、気密部材１０を介して気密を保持するように取り付けられている。
【００２５】
図４〜図６を用いて以下説明すると、気密部材１０は複数の突起部１００と該突起部と一体に形成された緩衝部１１０とから構成されており、第一の突起部１００ａは集塵室３の外周部に形成された垂直方向に立ち上がった第一の隔壁１０３ａと第二の隔壁１０３ｂによって構成される第一の溝部１０２ａに気密に挿入される。
【００２６】
つまり第一の隔壁１０３ａが形成する溝側側面と第二の隔壁１０３ｂが形成する溝側側面に気密部材１０の第一の突起部１００ａがテーパー勘合され、気密部材１０の第一の突起部１００ａを押し込むことによって気密が確保される。
【００２７】
気密部材１０は弾性体を用いるのが望ましく、硬度を下げるほど（柔らかくする）気密保持されやすくなる。
【００２８】
また第二の突起部１００ｂは第二の隔壁１０３ｂと第三の隔壁１０３ｃによって構成される第二の溝部１０２ｂに挿入され、第一の突起部１００ａと第二の突起部１００ｂが第二の隔壁１０３ｂを挟み込むように嵌合され、これにより、気密部材１０と集塵室３の気密は隔壁による溝部１０２と気密部材１０の複数の突起により二重に気密が保持される。
【００２９】
第一の突起部１００ａと第一の溝部１０２ａがテーパー嵌合にて気密を保持しているため、それを更に、第二の隔壁１０３ｂを第一の突起部１００ａと第二の突起部１００ｂで挟み込むことによって、仮に第一の突起部１００ａと第一の溝部１０２ａのテーパー嵌合による気密もれが発生した場合でも、第二の隔壁１０３ｂを第一の突起部１００ａと第二の突起部１００ｂで気密に挟みこんでいるので、二重のシール効果が得られる。
【００３０】
また、第二の隔壁１０３ｂと第三の隔壁１０３ｃによって形成される第二の溝部１０２ｂへ第二の突起部１００ｂをテーパー嵌合にて気密を保持することにより、更に高い気密保持効果が得られる。
【００３１】
更に、隔壁の数を第４，第５と増やし、隔壁間に構成される溝部の数を増やし、それに伴い、気密部材１０の形成する複数の突起部１００の数を増やし、上述したような嵌合関係の構成を増やすことにより、更に集塵室３と気密部材１０の気密性を向上させることができる。
【００３２】
また、気密部材１０の複数の突起部１００と一体に緩衝部１１０が形成され、集塵室３の最も外側に位置する隔壁（本図中では第三の隔壁１０３ｃ）を覆うように配置され、外部からの衝撃に対して本体を保護し、また家庭の家具や建物を保護する役割を果たしている。
【００３３】
さらに、緩衝部１１０の他端１０６は集塵室３の隔壁により構成される溝部１０２と気密部材１０のテーパー嵌合により気密を保持している部分を、別部品を用いることなく確実に固定するために、集塵室３の外周部に垂直方向に係止突起１０７を設け、これと係合させるために気密部材１０に係合突起１０６を設けている。
【００３４】
係止突起１０７は集塵室３の外周に沿って連続的な隔壁を構成する場合と断続的な突起を均等若しくは不均一に配置させることにより、気密部材１０を確実に固定する。
【００３５】
係止突起１０７は連続的に形成される隔壁と集塵室３に対して断続的に垂直方向に形成される隔壁とを合せる事により、更に気密部材１０の係合性を高めることができる。
【００３６】
また、気密部材１０の係合突起１０６は緩衝部１１０の端面に形成され、気密部材１０の複数の突起部１００に略対向するように形成され、連続的若しくは不連続に係合突起１０６が形成され、隔壁１０３から気密部材１０が外部からの衝撃及び使用者の偶発的操作から緩衝部１１０が剥離するのを防止し、気密を保持する。
【００３７】
集塵室３の最も外側に位置する隔壁（本図中では第三の隔壁１０３ｃ）は内側に第二の突起部１００ｂを嵌合させ、係止突起１０７と係合突起１０６を嵌合させた際に、緩衝部１１０及び気密部材１０自体が集塵室３から外れて気密漏れを生じるのを、かぎ型構造を形成し防止している。
【００３８】
本体運転中は、集塵室３内部が負圧になるので蓋体５の気密リブ１０８が気密部材を押し付ける方向に働き、集塵室３と蓋体５を気密に保つことができる。
【００３９】
また、運転中は気密部材１０の複数の突起部１００は溝部１０２により押し付けられる方向に働き気密が取れるのと同時に、外れも防止することができる。
【００４０】
集塵室３内の気密を取りやすくするために、気密部材１０の蓋体５の気密リブ１０８と接する部分をリップ形状１０５とすることで集塵室３が負圧となった時により気密がとれる。
【００４１】
気密部材の材質をより柔らかい弾性部材とすることで、更に気密が取れやすくなる。
【００４２】
前述の前提条件として、蓋体５の気密リブ１０８と気密部材１０のリップ形状１０５は均一に干渉または接している必要がある。
【００４３】
リップ形状１０５の端面は蓋体５の外周端面１０９の肉厚より内側であることが望ましい。
【００４４】
蓋体５の外周端面１０９の肉厚より内側であれば外観的にも美しく、また本体運転時に、集塵室３が負圧になることよる、蓋体５の集塵室側への沈み込みによって、リップ形状１０５が蓋体５の気密リブ１０８によって押される際に、蓋体５の外周端面１０９よりもリップ形状１０５の端面が出ている場合、美観を損ねるばかりではなく、集塵室３内の気密を取るための気密リブ１０８が気密部材１０のリップ形状１０５を押し付けて気密をとる前に、蓋体５の外周端面１０９がリップ形状１０５を押してしまい、その部分から気密が漏れてしまう可能性がある。
【００４５】
このため、リップ形状１０５の端面を蓋体５の外周端面１０９の肉厚よりも内側に形成するか若しくは、蓋体５の気密リブ１０８と外周端面１０９の縁面距離を十分に取って、外周端面１０９にリップ形状１０５が押されない位置に構成する必要がある。
【００４６】
次に集塵袋７（紙パック）又は集塵ケース（図示せず）の着脱に関して説明する。
【００４７】
集塵室３に内置した集塵袋（紙パック）７及び集塵ケース（図示せず）の取り出し性を考慮し、特に集塵ケースタイプの場合には、頻繁にごみすて作業をする可能性があるので、気密部材１０の内側面１１１が集塵室３の第一の隔壁１０３ａの内側面１１２と同一面若しくは、それよりも外側に位置させることによって、摩擦抵抗の大きい気密部材１０（弾性部材）に直接集塵袋（紙パック）７若しくは集塵ケース（図示せず）を触れさせること無く、また、気密部材１０の内側への出ばりによって内側へ押さえつけられることなく着脱作業をすることができるので、軽い力での集塵袋（紙パック）７及び集塵ケース（図示せず）の着脱が可能となり、ごみを捨てやすくすることができる。
【００４８】
次に除塵関連に関して説明する。
【００４９】
集塵袋７の除塵は、除塵手段で行われる。除塵手段は、図１１に示すように除塵部材１５０とコードリール９に駆動され、かつ前記除塵部材１５０に振動動作を起こさせる除塵回転体１２と動力分岐機構２５を有する。
【００５０】
除塵部材１５０は集塵室３に備えられ、集塵室３に置かれる集塵袋７は、除塵部材１５０で、振動させられて内部に付着する塵埃が振るい落とされる。
【００５１】
除塵駆動伝達ユニット１１（図７）は、掃除機本体ケース１の内底部に備えられる。除塵駆動伝達ユニット１１は、除塵回転体１２と、伝達歯車１３を有する。図１１に示すように、この伝達歯車１３は、コードリール９の駆動歯車１４に噛み合う。
【００５２】
動力分岐機構２５は集塵室３内部に備わり、前記除塵回転体１２の回転力を利用し前記上部横置除塵体６へと動力を伝え、前記上部横置除塵体補助部８３が連動する。この動力分岐機構２５の詳細については後述する。
【００５３】
コードリール９の回転で、駆動歯車１４，伝達歯車１３を介して除塵駆動伝達ユニット１１の除塵回転体１２に回転が伝わる。除塵回転体１２の回転により、除塵部材１５０は振動させられ、集塵袋７内の除塵が行われる。
【００５４】
除塵部材について、図８〜図１２を引用して更に詳しく述べる。
【００５５】
除塵部材１５０は、縦置除塵体１５と、下部横置除塵体１６と、上部横置除塵体６と、上部横置除塵体補助部８３を有する。縦置除塵体１５の下端と、下部横置除塵体１６の後端は支軸１７により回動自在に結合されている。縦置除塵体１５と下部横置除塵体１６は、折り畳まれた０度（図１２ｂに示す状態に近い）から開かれた約９０（図１２ａに示す状態）の範囲で回動する。
【００５６】
縦置除塵体１５は、下端にストッパー１８を有する。下部横置除塵体１６が９０度まで開いたところで、下部横置除塵体１６はストッパー１８で抑えられ、それ以上は開かない。
【００５７】
なお、最大開き角度は、下部横置除塵体１６が集塵室３の内底部に接触しなければ、９０度以下でも９０度以上でもよい。
【００５８】
縦置除塵体１５は、上側両端に支持軸突起１９が設けられる除塵枠体部２０を有する。掃除機本体ケース１は、図３，図１３に示すように、集塵室３と後部室を仕切る中間仕切壁２１を有する。この中間仕切壁２１は、集塵室３側に縦に走る二つの支持リブ２２が間隔を隔て設けられ、支持リブ２２は、図１３に示すように、上側に支持孔２３を有し、前記中間仕切壁２１には動力分岐機構２５を取り付けるための係止溝４４を有する。
【００５９】
支持リブ２２の支持孔２３に縦置除塵体１５の支持軸突起１９は回動自在に嵌る。これにより、前記縦置除塵体１５と前記下部横置除塵体１６は、集塵室３に揺振自在に置かれる。
【００６０】
支持リブ２２は、図１４ａに示すように、対向面（内側面）に支持孔２３の上側から支持リブ２２に向けて形成された傾斜溝２４ａを有する。この傾斜溝２４ａは、上側に向かって外向きに傾く。支持軸突起１９ａも端側が傾斜面を有する。このため、支持軸突起１９ａを傾斜溝２４ａに沿って上から下に滑らせることにより、支持軸突起１９ａは支持孔２３に容易に嵌る。前記縦置除塵体１５，前記下部横置除塵体１６との取り付けが容易に行われる。
【００６１】
また、支持リブ２２は場合によって、図１４ｂに示すように、対向面（内側面）の少なくとも１つが支持孔２３の前側（ホース差込口４側）から支持リブ２２に向けて形成された傾斜溝２４ｂを有する。この傾斜溝２４ｂは、前側に向かって外向きに傾く。この際、支持軸突起１９は支持軸突起１９ｂの形状にすることで前側から中間仕切壁２１に垂直に向かって傾斜溝２４ｂ上を滑らせることで、支持突起１９ｂは支持孔２３に容易に嵌る。
【００６２】
動力分岐機構２５について説明する。
【００６３】
動力分岐機構２５は集塵室内にあり、前記縦置除塵体１５と、前記中間仕切壁２１の間に配置され、該中間仕切壁２１に設けた係止溝４４に取り付けられる。
【００６４】
前記動力分岐機構２５は、前記除塵駆動伝達ユニット１１の除塵回転体１２の突起２７と、動力分岐機構２５のカムクランク突起２８とが係合し、除塵回転体１２の回転運動に連動して係合部がこの場合は下へと引かれ該動力分岐機構２５の付勢バネ２９にて元に戻されることで往復運動を行い、該動力分岐機構２５のカムクランク３０によって、除塵回転体１２の回転運動の駆動力をこの場合は上方向へ変換し上部横置除塵体６へ動力を伝達し、上部横置除塵体補助部８３まで動力が伝達される。
【００６５】
除塵回転体１２は、外周に巻装される除塵バネ３１を有する。除塵バネ３１は、除塵回転体１２の長手方向に沿って螺旋状に巻かれ、図３３ａからｄに示すように長手方向の断面は略円形若しくは、略長円若しくは、多角形ないし外周に突き出る複数の凹凸形状を有する。除塵部材１５０の縦置除塵体１５に備える付勢バネ２６は、縦置除塵体１５を中間仕切壁２１方向へ押し付ける。
【００６６】
上部横置除塵体及び上部横置除塵体補助部について説明する。
【００６７】
前記除塵駆動伝達ユニット１１の前記除塵回転体１２から前記動力分岐機構２５のカムクランク３０を介して前記上部横置除塵体６の端部８７ｂが上方向の荷重を受けて前記上部横置除塵体補助部８３が略上下方向に作動する。
【００６８】
前記横置除塵体６は略上下方向に作動した際に、前記上部横置除塵体６の荷重側以外の端部（上部横置除塵体伝達軸）８６を有し、前記上部横置除塵体６の作動を前記上部横置除塵体補助部８３へ伝達される。
【００６９】
前記上部横置除塵体伝達軸８６の作動は、前記上部横置除塵体補助部８３の作動受部８８から作動を伝達し、前記上部横置除塵体補助部８３を略上下方向に作動させる。
【００７０】
前記上部横置除塵体補助部の作動受部８８は前記上部横置除塵体補助部の支持軸８９ａに対して前記上部横置除塵体６側に配置する。
【００７１】
これによって、前記上部横置除塵体６が前記動力分岐機構２５から上方向への作動を受け、前記上部横置除塵体６の前端８７ａが押し下げられ、集塵袋７の上面を瞬時に叩くと同時に、連動してる前記上部横置除塵体補助部８３は図１７ｂのように支持軸８９ａを基準に全体を上方向に持ち上げ、集塵袋７への加振に対してためを持たせる。
【００７２】
次にバネ９０ａ，９０ｂ等による付勢により、前記上部横置除塵部６が元の位置にもどる際に、前記支持軸８９ａを基準に全体を上方向に持ち上げていた前記上部横置除塵体補助部８３が、図１７ａのように自重と前記上部横置除塵体伝達軸８６から、前記作動受部８８が動力を受けることによって、集塵袋７の上面を叩くことが出来る。
【００７３】
この一連の動作によって、前記動力分岐機構２５からの１回の動力伝達によって、集塵袋７の上面を交互に最低２回及び２ヶ所以上について加振して除塵をすることが可能となる。
【００７４】
また、場合によっては前記上部横置除塵体補助部８３の作動受部８８を支持軸８９ｂに対して、前記上部横置除塵体６から離れた側に配置することによって、前記動力分岐機構２５からの１回の動力伝達によって、集塵袋７の上面の１ヶ所またはそれ以上の箇所を同時に加振することができる。
【００７５】
集塵袋７は、図３に示すように、後側が除塵部材１５０の縦置除塵体１５に、下側が下部横置除塵体１６に、上側が上部横置除塵体６及び上部横置除塵体補助部８３に当接する。除塵回転体１２が回転することにより、縦置除塵体１５と回動自在に結合されている下部横置除塵体１６は、付勢バネ２６に抗して、前記縦置除塵体１５は前後方向に、又下部横置除塵体１６は前記縦置除塵体１５と連動し、前後に振動すると共に略上下にも振動する。また、前記動力分岐機構２５は除塵回転体１２の突起部２７からの動力を伝達しカムクランク３０を介して上部横置除塵体６及び上部横置除塵体補助部８３を略上下に振動させる。
【００７６】
集塵袋７の後側は、縦置除塵体１５により前後に揺すられ、下側は下部横置除塵体１６で前後に擦られるとともに上下に多少振られ、上側は上部横置除塵体６及び上部横置除塵体補助部８３にて上下に振られる。この振動により、集塵袋７内に付着する塵埃が除塵され、集塵袋７の通気性が回復し、更なる吸塵ができる。特に、集塵性能への影響が大きい上側は、上部横置除塵体及び上部横置除塵体補助部によって大きな効果が得られる。これを繰り返すことにより、集塵袋７内が一杯になるまで吸塵できる。
【００７７】
集塵室内の掃除について説明する。
【００７８】
塵埃は、集塵袋７内に集塵される。しかし、集塵袋７を取り外す際、集塵袋７内に溜まった塵埃が誤って集塵室３の下部にこぼれる場合がある。この時、集塵室蓋５を開いて、集塵室３から集塵袋７を外し、内底部に溜まった細塵の掃除をする。
【００７９】
この際に、除塵部材１５０の下部横置除塵体１６を図１２に示すように折り畳むことにより、内底部側から下部横置除塵体１６が一時的に除かれた状態になる。このため内底部が容易に、しかも細塵を残さず掃除できる。
【００８０】
下部横置除塵体１６は、図１３に示すように、前後方向に延在する複数のスリット３２が並ぶように設けられている。集塵袋７を抜けた気流は、スリット３２を通って電動送風機８へと流れる。下部横置除塵体１６のスリット３２は、気流の流れを良くするためである。
【００８１】
スリット３２には、集塵室３の内底部に一体に設けられた案内リブ３３が摺動自在に嵌る。この案内リブ３３は、除塵動作の前後方向振動ではガイドとして機能する。前後方向振動と交差する方向の動きは案内リブ３３により規制される。
【００８２】
このため、電気掃除機本体の置かれる姿勢が横倒しになっていても案内リブ３３の案内により、除塵部材１５０の除塵動作は作動不良を起こすことなく、円滑に行われる。
【００８３】
また、除塵部材１５０は下部横置除塵体１６をストッパー１８で支えているので、除塵動作で下部横置除塵体１６と集塵室３の内底部は擦れ合うことなく、円滑な除塵動作が行われる。
【００８４】
除塵駆動伝達ユニット１１の除塵バネ３１は、縦置除塵体１５の下端に当接する。この当接部は、縦置除塵体１５の下端後部で支軸１７の近傍に位置し、円弧形状を有する。この円弧面は、縦置除塵体１５の幅範囲内に亘り形成されている。
【００８５】
この円弧面の当接部に当接する除塵バネ３１は図３３ａからｄに示すように長手方向の断面は略円形若しくは、略長円若しくは多角形ないし外周に突き出る複数の凹凸形状が当接しても、円弧面により除塵回転体１２の円滑な回転が維持される。これにより、除塵部材１５０の振動作動が良好に行われ、集塵袋７の除塵が効率良く行われる。
【００８６】
図１３，図２０に示すように、除塵部材１５０の下部横置除塵体１６は、前後に通じる方向から見て中央が隆起する形状を有する。このような形状に有するので、平板状のものに比べ、構造上の強度が高まり、前記集塵室３に添った形状となり、スペースを有効活用することができる。
【００８７】
下部横置除塵体１６は、縦置除塵体１５の下端後部に支軸１７で片持ち支持され、かつスリット３２が形成された薄手のものである。中央が隆起する強い構造であるので、折れ曲がることなく、集塵袋７を下から支えることができる。このため、下部横置除塵体１６が集塵室３の内底部に接触することも生じることなく、除塵の振動動作が良好に行われる。
【００８８】
図１３に示すように、集塵室３と後部室を仕切る中間仕切壁２１は、内部流通口３４を有する。内部流通口３４は、電動送風機８の送風部（ファン）の吸込口に対向するように中央から片側に偏在させて設ける。
【００８９】
集塵室３に流入する気流は、内部流通口３４を通って電動送風機８に流れる。内部流通口３４には、複数の縦格子リブ３５が設けられる。
【００９０】
図２に示すように、集塵室３に内置されると除塵部材１５０は、縦置除塵体１５が内部流通口３４のところに対向するように置かれる。縦置除塵体１５の幅は、集塵室３の横幅（中間仕切壁２１の横幅）より狭い。このため、コードリール９側に対応する中間仕切壁２１のところには、縦置除塵体１５は存在しない。
【００９１】
下部横置除塵体１６は、縦置除塵体１５の横幅より広い横幅を有し、集塵室３の内底部の横幅範囲に広がる。
【００９２】
集塵袋７内に吸い込まれた塵埃は、集塵袋７の後部側で内部流通口３４に近いところの内側に多く付着する。この多く付着するところを積極的に除塵振動させるために縦置除塵体１５の横幅を集塵室３の横幅よりも狭くした。
【００９３】
集塵袋７の底側は、塵埃付着の偏りは少ないので、除塵振動が出来るだけ広い範囲に
及ぶように下部横置除塵体１６の横幅を縦置除塵体１５よりも広くした。
【００９４】
なお、縦置除塵体１５と下部横置除塵体１６の横幅を同じにすることも可能である。
【００９５】
集塵袋７の天面は、特に巻き上げられた粉塵を含む微細塵が多く、集塵袋７の天面側の略中央に上部横置除塵体６を配置し除塵することにより、天面全体に振動が行き渡る。
【００９６】
図１６，図２２を引用して付勢バネ２６の取り付け方法について説明する。
【００９７】
縦置除塵体１５の除塵枠体部２０は、一方の側面上部にバネ収容部３６を有する。
【００９８】
バネ収容部３６は、除塵枠体部２０の外側面と、前側壁３７と、内側壁３８で形成される。バネ収容部３６の後側は壁部がなく、開放になっている。前述した一方の支持軸突起１９は、外側壁３８の外側に設けられている。
【００９９】
バネ収容部３６内には、除塵枠体部２０の外側面に付勢バネ２６の中心を支持するバネ支持軸突起３９と、付勢バネ２６の左右のガタ及び倒れを防止するための補強リブ４０を有する。
【０１００】
付勢バネ２６は、図２２に示すように、バネ収容部３６内に収納され、付勢バネ端部４１を中間仕切壁２１に押圧する。これにより、縦除塵体１５は付勢バネ２６の力で支持軸突起１９を支点としてＰ矢印方向の回転力が付与される。
【０１０１】
前述したように、付勢バネ２６は、除塵回転体１２の回転で縦置除塵体１５を押す力に抗するように作用する。除塵回転体１２の回転による押力と付勢バネ２６の抗する力により、除塵部材１５０は除塵振動動作をする。
【０１０２】
付勢バネ２６は、バネ収容部３６内に挿入し、付勢バネ２６の中心をバネ支持軸突起３９に挿入することで簡単に組み込むことができる。また、除塵枠体部２０は支持軸突起１９を支持リブ２２の支持孔２３に嵌め込むことにより、付勢バネ端部４１を中間仕切壁２１に押圧して付勢バネ２６として機能するようになるので、除塵枠体部２０の取り付けも容易である。
【０１０３】
図２３に示すように、保護フィルタ部４５は、フィルタ支持枠４６と、支骨４７を縦横に設けた格子と、保持つめ４８と、保護通気フィルタ４９，保持突起１０１を有する。
【０１０４】
フィルタ支持枠４６と別体の保護通気フィルタ４９は、支骨４７と、保持つめ４８とによりフィルタ支持枠４６に保持される。
【０１０５】
保護通気フィルタ４９は、通気目が集塵袋７より粗く、フィルタ支持枠４６の格子目よりも細やかで、可撓性を有する。フィルタ支持枠４６の格子に添え当てた保護通気フィルタ４９は、周縁を保持つめ４８のところに差し込む。こうして、保護通気フィルタ４９は、フィルタ支持枠４６に保持される。
【０１０６】
除塵枠体部２０は、図１６に示すように、下側に差込溝５０を有する。この差込溝５０は図２３に示す保護フィルタ部４５のフィルタ支持枠４６の外周下側に配置される保持突起１０１が嵌め込まれる。
【０１０７】
保護フィルタ部４５が取り付け，取り外しができるので、除塵部材１５０のメンテナンスに際しては、保護フィルタ部４５を取り外すことで、保護通気フィルタ４９をお手入れできる。保護フィルタ部４５が着いていない合成樹脂製の除塵枠体部２０は撓みやすく、除塵枠体部２０の着脱が容易である。
【０１０８】
この保護フィルタ部４５は、内部流通口３４上流側に位置する。集塵袋７が破れても、保護フィルタ部４５により、塵埃が内部流通口３４を通って電動送風機８に吸い込まれるのを防止できる。
【０１０９】
保護通気フィルタ４９は、空気流の下流側面の周縁が保持つめ４８で保持され、それに加え、縦置除塵体１５の下流側枠体と中間仕切壁２１に隣接される縦格子リブ３５で抑えられるので、保護通気フィルタ４９が除塵枠体部２０及び保護フィルタ４５から脱落する不具合は生じない。
【０１１０】
保護フィルタ部４５は、図２３に示すように、フィルタ支持枠４６の上部の側端に突き出す取っ手５１を有する。保護フィルタ部４５の取り付け，取り外しでは、取っ手５１を掴んで行う。
【０１１１】
集塵室３の内底部は、図３に示すように、隆起している。掃除機本体ケース１の前側下面にキャスター５２を取り付ける窪みを設けるために隆起させた。この隆起に合うように下部横置除塵体１６の中央を隆起させ、かつ強度を高めた。
【０１１２】
これにより、下部横置除塵体１６と集塵室３の内定部間にできる無駄な空間は少なく、集塵室３内で集塵袋７がより大きく膨らみ、集塵量の増加を図ることができる。
【０１１３】
次に除塵駆動伝達ユニット１１の関連について説明する。
【０１１４】
除塵駆動伝達ユニット１１は、図２５に示すように、支持フレーム７３を有する。
【０１１５】
支持フレーム７３は、矩形の枠体部５３と、枠体部５３の片側を塞ぐ底板部５４と、枠体部５３の短辺側に底板部５４の反対側に向かって立つ二つの回転体支持板５５を有する。
【０１１６】
二つの回転体支持板５５の周端縁と、枠体部５３の長辺側端縁には、気密シール５６が設けられる。この気密シール５６は、図２６に示すように、連なった環に形成されている。連なった環の気密シール５６は、つなぎ合わせの隙間がないので、シール性が高まり、かつ気密シールが変形し、確実な気密を確保することができる。
【０１１７】
気密シール５６は、枠体部５３と一体に合成樹脂で成型される。気密シール５６は、シール機能を有するように枠体部５３よりも軟質な合成樹脂で成型される。成型用の金型で成型された枠体部５３を別の金型に移し、軟質の合成樹脂を注入することにより、枠体部５３と気密シール５６は一体に成型される。
【０１１８】
気密シール５６は、枠体部７３と分離して、ばらばらになることが生じないので、組立ての際の取り扱い性が向上する。また、気密シール５６は軟質の合成樹脂で形成されるので、シール性が向上する。
【０１１９】
除塵駆動伝達ユニット１１の除塵回転体１２は、二つの回転体支持板５５に回転自在に支持される。除塵回転体１２は、図２１に示すように、両端側に支軸７４Ａ，７６Ｂを有する。
【０１２０】
伝達歯車１３は、除塵回転体１２の一方の端部側に設けられる。伝達歯車１３の軸部５７を除塵回転体１２の一方の端部側にネジ等で締結して固定する。伝達歯車１３は除塵回転体１２の端部から離間したところに位置する。
【０１２１】
除塵回転体１２内には、一方向の回転が伝達され、他方向の回転が伝達されない、いわ
ゆる一方向回転伝達クラッチ５８が備わる。コードリール９の駆動歯車１４、および伝達歯車１３を介してコードリール９の回転は、除塵回転体１２に伝達される。
【０１２２】
コードを引き出すときには除塵回転体１２は回されるが、コードを巻き取るときには除
塵回転体１２は回されない。こうすることにより、コードリール９の巻取りバネを小型化でき、しかもコードの引き出しが軽くなる。
【０１２３】
支持フレーム７３の二つの回転体支持板５５は、除塵回転体１２の支軸７４Ａ，７４Ｂを回転自在に支持する軸受５９Ａ，５９Ｂを有する。伝達歯車１３が設けられる支軸７４Ｂを回転自在に支持する方の軸受５９Ｂは、貫通するように形成される。
【０１２４】
伝達歯車１３が設けられない方の支軸７４Ａを支持する軸受５９Ａは、奥側が塞がるように形成される。軸受５９Ａは、奥側が塞がっているので、軸受５９Ａから回転体支持板５５の外側に空気は漏れない。
【０１２５】
しかし、軸受５９Ｂは貫通しているので、回転体支持板５５の外側に空気は漏れる。そこで、回転体支持板５５の外面側に、軸受５９Ｂと支軸７４Ｂの隙間を封じる軸シール６０を設けた。この軸シール６０により、軸受５９Ｂを通じて回転体支持板５５の外側に漏れる空気漏洩は阻止される。
【０１２６】
図１３に示すように、掃除機本体ケース１は底面に除塵駆動伝達ユニット１１が装着される装着開口部６１を有する。この装着開口部６１には、除塵駆動伝達ユニット１１が外側から着脱自在に装着される。
【０１２７】
このように、支持フレーム７３に除塵回転体１２，伝達歯車１３をまとめてユニット化し、ユニットになった除塵駆動伝達ユニット１１を掃除機本体ケース１の装着開口部６１に取り付けるので、組立てが容易に行われる。
【０１２８】
装着開口部６１は、除塵回転体１２や支持フレーム７３が置かれるところには窪み部６２が形成され、伝達歯車１３が置かれるところには後部室（コードリール９，電動送風機８が置かれる）側に臨む開口が形成されている。
【０１２９】
窪み部６２は、図２７に示すように、奥側に除塵用開口６３を有する。この除塵用開口６３は、集塵室３内に置かれる縦置除塵体１５の下端側に臨んでいる。
【０１３０】
また、窪み部６２は、伝達歯車１３が位置する方の側面側に伝達開口６４を有する。この伝達開口６４を介して窪み部６２は、後部室側と連通している。
【０１３１】
装着開口部６１に装着された除塵駆動伝達ユニット１１の除塵回転体１２は、外周側の除塵バネ３１が除塵用開口６３から集塵室３に突き出し、縦置除塵体１５の下端側（円弧面の当接部）に当接する。
【０１３２】
伝達歯車１３は、コードリール９の駆動歯車１３に噛み合わされる。伝達歯車１３の軸部５７は、伝達開口６４に置かれる。
【０１３３】
窪み部６２は、図２７，図２８に示すように、窪み部６２の底に近い低位置段部６５と、底から離れた高位置段部６６とを有する。また、窪み部６２は、長手方向の端側に接合突起６７，６８を有する。
【０１３４】
窪み部６２の低位置段部６５には、気密シール５６の辺５６Ｂが当接する。窪み部６２の高位置段部６６には、気密シール５６の辺５６Ａが当接する。接合突起６８には、気密シール５６の辺５６Ｃが当接する。接合突起６７には、気密シール５６の辺５６Ｄが当接する。
【０１３５】
これらの当接による気密シール５６のシールにより、除塵用開口６３を通じ、集塵室３と掃除機本体ケース１の外側間で空気が流通するのは断たれる。このため、装着開口部６１を通じて集塵室３と掃除機本体ケース１の外側間で空気が流れる空気漏れは生じない。
【０１３６】
また、気密シール５６は、窪み部６２が伝達開口６４を介して後部室（コードリール９，電動送風機８が置かれる）に連通するところのシールを併せてしている。このため、集塵室３と後部室の間も空気の流通は断たれ、空気漏れは生じない。
【０１３７】
図２８の（ａ）は、電気掃除機本体の装着開口部６１に装着されている除塵駆動伝達ユニットを横方向に断面したところを示している。
【０１３８】
図２８の（ｂ）は、除塵駆動伝達ユニット１１を装着開口部６１から外したところを示している。窪み部６２の底に除塵用開口６３が見える。また、接合突起６７，６８は、図示されていないが、二つの回転体支持板５５のところに位置する。
【０１３９】
窪み部６２に内側面に突出するように設けられた接合突起６７，６８は、幅が気密シール５６の幅よりも狭い。接合突起６７，６８に押圧された気密シール５６を押し付けることにより、接合突起６７，６８が気密シール５６に食い込み気密が向上する。
【０１４０】
除塵駆動伝達ユニット１１は、掃除機本体ケース１に設けたねじボス６９，７０にねじ込むネジにより締め付け固定される。除塵駆動伝達ユニット１１に設けたネジ通穴７１，７２は、二つの回転体支持板５５の外側に設けた。
【０１４１】
二つの回転体支持板５５の内側にネジ通穴を設けると、ネジ通穴にも気密を施さなければならない。ネジ通穴を二つの回転体支持板５５の外側に設けることにより、気密を施す必要がなく、構成が簡単になる。
【０１４２】
次に、本発明の第２の実施例について、図４，図６を引用して説明する。図６に示すように、集塵室３の隔壁１０３によって構成される溝部１０２に気密が保持されるように気密部材１０の複数の突起部１００が挿入され気密を保持している。
【０１４３】
気密部材１０の複数の突起部１００のうち、集塵室３に対して最も内側に位置する第一の突起部１００ａの側面と集塵室３と面一若しくは外側になるように構成した気密部材１０の内側面１１１には段差を設け、集塵室３の最も内側を構成する第一の隔壁１０３ａの内側面１１２と同一面にすることによって、集塵袋（紙パック）７及び集塵ケースの着脱性が向上する。
【０１４４】
また、第一の実施例に示した集塵室３と気密部材１０の気密保持の形状を構成しようと考えた場合、少なくとも３つの隔壁から２つの溝部１０２を構成し、気密部材１０から複数の突起部１００を溝部１０２にテーパー勘合し、気密を保持する構成をとった場合に、
気密部材１０の第一の突起部１００ａの側面と集塵室３の最も内側を構成する第一の隔壁１０３ａの内側面１１２とを同一面、つまり気密部材１０に前述したように段差を設けることにより、隔壁１０３の構成が最も単純で、本体自体を軽量コンパクトに構成することができ、製品としてスリム化することができる。
【０１４５】
また、本体自体の構成の簡略化が実現できるため成形材料を総合的に削減することが出来き、更には省資源化を図ることができ環境にも優しい。
【０１４６】
次に、本発明の第３の実施例について、図２９，図３０を引用して説明する。
【０１４７】
図３０に示すように、掃除機本体を運転させる際には、近年の掃除機では掃除機本体ケース１にホース差込口４を挿入し、ホース体（図示せず）の手元操作部によって本体電源の入切り及びホース体先端に接続される延長管（図示せず）を介して接続される吸込口体（図示せず）の電動回転ブラシの電源のＯＮ，ＯＦＦを手元操作部によって行われるのが一般的である。
【０１４８】
ホース差込口４及びホース体（図示せず）及び延長管（図示せず）及び吸口体（図示せず）の各接続部には、導電性のよい接触片が備わっており、それらを接続することによって本体からの各部品（電動回転ブラシ用吸込口等）への電源供給を可能にする。
【０１４９】
通常、掃除機本体ケース１の前側部にはホース差込口、後ろ側には手元操作部への信号と電源供給、電動送風機への電源供給等を制御する本体コントロールキバン１２０を備える。
【０１５０】
本体コントロールキバン１２０からホース差込口４の接触片（図示せず）まで電源及び信号を伝えるために給電線１２１を設ける。
【０１５１】
給電線１２１は、集塵室３の第二の隔壁１０３ｂと第三の隔壁１０３ｃにより形成される第二の溝部１００ｂに配線され、第二の溝部１００ｂと気密部材１０の第二の突起部１００ｂにより構成されるすき間によって配線される。
【０１５２】
気密部材１０の第二の突起部１００ｂの下側に配線することによって、給電線１２１が第二の溝部１００ｂから浮いて外れてしまうことを防止することが出来る。
【０１５３】
また第二の突起部１００ｂは給電線１２１の略全線を覆っているので、仮に給電線１２１の被覆が傷つき、電線がむき出しになっても、使用者が触れて、ケガや感電する恐れが少ない。
【０１５４】
また、突起部を一体に形成する気密部材１０は、ゴム素材をベースとした弾性体により形成されているため、絶縁性も高い。
【０１５５】
更に、気密部材１０はゴム素材をベースとした柔らかい弾性体により形成されているため、組み立て上、集塵室３の第二の溝部１００ｂに給電線１２１を配線し、その後に気密部材１０の第二の突起部１００ｂにより押し込んでも、ゴム素材をベースとした弾性体により形成されているため、電線の被覆がはがれる可能性も低い。
【０１５６】
また、気密部材１０の第二の突起部１００ｂの先端はエッジではなく、角Ｒがとれているのが望ましい。
【０１５７】
図３０より集塵室３の外周部に形成される給電線１２１を配線する第二の溝部１００ｂの配線方向はＡ方向から配線しても、Ｂ方向から配線してもよい。
【０１５８】
ホース差込口４側から配線された給電線１２１を第二の溝部１００ｂから溝切り欠き部１２２を通して本体コントロールキバン１２０上のコネクタと接続される。
【０１５９】
溝切り書き部１２０が複数個ある場合には例えば図３０に示すように溝切り欠き部１２０ａから給電線１２１を通しても、１２０ｂから給電線１２１を出してもよい。
【０１６０】
切り欠き部１２０は給電線１２１の被覆が傷つかないように、角Ｒは出来るだけ大きめにとるのが望ましい。
【０１６１】
給電線１２１は、通常の電線（丸形ケーブル）でもフラットケーブルでもよく、接続する両端部は導電性のよい接触片若しくはコネクタが接続されている。
【０１６２】
次に、本発明の第４の実施例について、図３１，図３２を引用して説明する。図３１に示すように、集塵室３の電動送風機８側の隔壁１０３の天井面は、略円弧形状を形成しており、また溝部１０２にテーパー嵌合している気密部材１０も集塵室３の隔壁１０３の天井面に沿った形状で気密に嵌合されている。蓋体５に一体に形成されている気密リブ１０８も同様に気密部材１０の円弧形状に沿ったかたちで形成し、天井面１０５に気密に干渉又は接している。
【０１６３】
円弧状の部分の集塵室３の隔壁１０３が形成する溝部１０２と気密部材１０の突起部１００の構成する空間には、給電線が配線されている。
【０１６４】
また、電動送風機８側の集塵室３の隔壁によって構成される第二の溝部１０２ｂには、気密部材１０の第二の突起部１００ｂが挿入されるが、電動送風機８側には、緩衝部１１０が一体に形成されないために、第二の突起部１００ｂの先端に先端突起部１００ｄを設け、上部ケース１３０の端面１３１で突起を第二の溝部１００ｂに向かって押さえることにより、気密部材１０の第二の突起部１００ｂの第二の溝部１００ｂからの浮き上がりを防止することが出来る。
【０１６５】
また、電動送風機８側の隔壁１０３の構成する第二の溝部１００ｂには切り欠き部１２２があり、他の溝部１０２の範囲よりも給電線が切り欠き部を通っているため、他の溝部１０２の範囲よりも気密部材１０を浮かせる方向に働く力が大きく、また浮き上がる可能性が高い。従って、電動送風機８側の範囲においては、上部ケース１３０の端面１３１で先端突起部１００ｄを押さえ、また先端突起部１００ｄを押さえる上部ケースは複数箇所を集塵室３とねじ等で確実に固定することによって、気密部材１０の外れ防止はもとより、更にはより高い気密が保たれる。
【０１６６】
また、電動送風機８側の集塵室３の隔壁１０３は、本体運転時に集塵室３が負圧になり隔壁１０３全体が内側に引っ張られ、撓みを生じる中、最も撓みが大きい部分である、電動送風機８側の隔壁１０３の天井面を円弧状にすることによって、集塵室３側への隔壁の倒れ込みを改善し、また、気密部材１０の先端突起部１００ｄを押さえる上部ケースの端面１３１が同時に最も外側の隔壁（図中では第三の隔壁１０３ｃ）を同時に押さえることにより、更に隔壁１０３の集塵室３内側への倒れ込みを抑制している。
【０１６７】
これにより集塵室３の気密性を大幅に向上することが可能となる。
【図面の簡単な説明】
【０１６８】
【図１】本発明の一実施例に係る電気掃除機本体の外観斜視図である。
【図２】本発明の一実施例に係る集塵蓋体が開かれた状態を示す電気掃除機本体の外観斜視図である。
【図３】本発明の一実施例に係る電気掃除機本体の断面図である。
【図４】本発明の一実施例に係る気密部材の断面図である。
【図５】本発明の一実施例に係る集塵室の断面図である。
【図６】本発明の一実施例に係る電気掃除機本体の気密部材付近の横断面図と部分拡大図である。
【図７】本発明の一実施例に係る除塵駆動伝達ユニットの取り付けを示した斜視図である。
【図８】本発明の一実施例に係る上部横置除塵体の斜視図である。
【図９】本発明の一実施例に係る縦置除塵体の斜視図である。
【図１０】本発明の一実施例に係る下部横置除塵体の斜視図である。
【図１１】本発明の一実施例に係る除塵部材への動力伝達を示す図である。
【図１２】本発明の一実施例に係り、開かれた除塵部材と折り畳まれた除塵部材を側面から見たところを示す図である。
【図１３】本発明の一実施例に係るシタケースを側面から見た図である。
【図１４】本発明の一実施例に係る支持リブ２２を拡大した図である。
【図１５】本発明の一実施例に係る動力分岐機構を示す図である。
【図１６】本発明の一実施例に係る除塵部材を背面から見た斜視図である。
【図１７】本発明の一実施例に係る上部除塵部材を前から見た断面図である。
【図１８】本発明の一実施例に係る上部除塵部材を横から見た断面図である。
【図１９】本発明の一実施例に係る上部横置除塵体補助部の斜視図及び部分断面図である。
【図２０】本発明の一実施例に係る除塵部材の正面図である。
【図２１】本発明の一実施例に係る除塵駆動伝達ユニットの断面図である。
【図２２】本発明の一実施例に係る縦置除塵体のバネ取付け部の部分断面図である。
【図２３】本発明の一実施例に係る保護フィルタ部を示した斜視図である。
【図２４】本発明の一実施例に係る縦置除塵体と保護フィルタ部を横方向に断面した一部拡大図である。
【図２５】本発明の一実施例に係る除塵回転体を除いた除塵駆動伝達ユニットを示す図である。
【図２６】本発明の一実施例に係る気密シールを示す図である。
【図２７】本発明の一実施例に係る除塵用開口を示した図である。
【図２８】本発明の一実施例に係る除塵駆動伝達ユニットが電気掃除機本体に装着されているところを断面した図と、除塵駆動伝達ユニットが外された電気掃除機本体の装着開口部を正面から見た図である。
【図２９】本発明の一実施例に係る本体の垂直断面をとり、集塵室隔壁付近を拡大した図である。
【図３０】本発明の一実施例に係る気密部材，上部ケース，ハンドル，蓋体を外し、給電線の経路を見やすくした本体の上面図である。
【図３１】本発明の一実施例に係る蓋体を開いた状態の本体の正面図である。
【図３２】本発明の一実施例に係る気密部材と上部ケース、集塵室を組み合わせた中央断面図である。
【図３３】本発明の一実施例に係る除塵駆動伝達ユニットと電動機との組みつけを示した図である。
【符号の説明】
【０１６９】
１０  気密部材
１００  突起部
１００ａ  第一の突起部
１００ｂ  第二の突起部
１０２ａ  第一の溝部
１０２ｂ  第二の溝部
１０３ａ  第一の隔壁
１０３ｂ  第二の隔壁
１０３ｃ  第三の隔壁
１１０  緩衝部
【図１】
0005118908.tif 000002
【図２】
0005118908.tif 000003
【図３】
0005118908.tif 000004
【図４】
0005118908.tif 000005
【図５】
0005118908.tif 000006
【図６】
0005118908.tif 000007
【図７】
0005118908.tif 000008
【図８】
0005118908.tif 000009
【図９】
0005118908.tif 000010
【図１０】
0005118908.tif 000011
【図１１】
0005118908.tif 000012
【図１２】
0005118908.tif 000013
【図１３】
0005118908.tif 000014
【図１４】
0005118908.tif 000015
【図１５】
0005118908.tif 000016
【図１６】
0005118908.tif 000017
【図１７】
0005118908.tif 000018
【図１８】
0005118908.tif 000019
【図１９】
0005118908.tif 000020
【図２０】
0005118908.tif 000021
【図２１】
0005118908.tif 000022
【図２２】
0005118908.tif 000023
【図２３】
0005118908.tif 000024
【図２４】
0005118908.tif 000025
【図２５】
0005118908.tif 000026
【図２６】
0005118908.tif 000027
【図２７】
0005118908.tif 000028
【図２８】
0005118908.tif 000029
【図２９】
0005118908.tif 000030
【図３０】
0005118908.tif 000031
【図３１】
0005118908.tif 000032
【図３２】
0005118908.tif 000033
【図３３】
0005118908.tif 000034